(57)【要約】    【課題】電気錠の起動後の施錠状態を保持するための保持電圧の閾値を予測し、低い電圧値に調整した保持電圧を設定して消費電力を低減させ、さらには、電気錠の誤った解錠動作を最小限に防止して信頼性を高める。    【解決手段】インターホン親機３の制御部３４は、電気錠２の起動後の施錠状態を保持するための保持電圧Ｖ5の閾値を予測し、低い電圧値に調整した保持電圧Ｖ6を当該電気錠のソレノイド２１に供給して通電施錠型電気錠２０の駆動を保持させる。また、インターホン親機の制御部は、施錠状態が保持された電気錠のソレノイドが有する電気特性のばらつきにより当該電気錠が解錠状態に移行されたとき、電気錠用電源供給回路３３ｃを制御し、電気錠が再施錠となるような起動電圧を生成させる。  【選択図】図１
2008214872.tif 000002
【特許請求の範囲】
【請求項１】
玄関に設置されるインターホン子機（１）と、玄関ドアに設置され前記玄関ドアの開閉を行うための電気錠（２）と、室内に設置され前記インターホン子機からの呼び出しに応答して通話を成立させるとともに前記電気錠を施解錠させるためのインターホン親機（３）とを備え、
前記電気錠は、通電時施錠型錠（２０）であって、前記通電時施錠型錠を駆動するためのソレノイド（２１）を備え、
前記ソレノイドは、起動後の施錠状態を維持するための保持電圧が施錠時の起動電圧よりも低い電圧で動作するものであって、
前記インターホン親機は、施錠時に起動電圧を印加するとともに前記起動電圧の印加後に電圧値の調整が可能な保持電圧を印加するための電気錠用電源供給回路（３３ｃ）と、前記電気錠の施解錠状態から前記保持電圧の閾値を予測し、前記保持電圧を調整するための制御部（３４）とを備えたことを特徴とするインターホンシステム。
【請求項２】
前記電気錠は、前記ソレノイドを駆動させるための伝送路（Ｌ2）に重畳して前記通電時施錠型錠の前記施解錠状態を前記インターホン親機に通知する通知回路（２２）を備え、
前記インターホン親機は、前記保持電圧の印加中に前記解錠状態の通知を受信し、前記起動電圧を印加して前記電気錠を再施錠し、前記保持電圧を再調整するための制御部（３４）を備えたことを特徴とする請求項１記載のインターホンシステム。
【発明の詳細な説明】
【技術分野】
【０００１】
本発明はインターホンシステムに係り、特に、電気錠の施錠状態を保持するために必要とされる消費電力を低減させたインターホンシステムに関する。
【背景技術】
【０００２】
従来から、電気錠の電力の消費量及びソレノイドの発熱量を低減することができる電気錠の電源装置が開示されている（例えば、特許文献１を参照。）
この電源装置によれば、電気錠の施錠時から所定時間経過後にソレノイドに印加する電圧を降圧しているため、消費電力とソレノイドの発熱量とを低減することができる。
【０００３】
【特許文献１】実開平５−１０６７１号公報（段落番号「０００６」、「００１４」等）
【発明の開示】
【発明が解決しようとする課題】
【０００４】
背景技術に記載された特許文献１の電源装置は、電気錠の施錠時にソレノイドを駆動させる電圧を印加し、ソレノイドの駆動後には低電圧で当該ソレノイドの駆動状態を保持するため、衝撃等でソレノイドが誤って電気錠を開放してしまった場合、開放後の解錠動作及び施錠動作が行われるまでの間、電気錠は解錠状態のまま保持されることになる。これにより、電気錠の信頼性が低下する難点があった。
【０００５】
また、前述の難点を解消するにあたっては、十分に大きい電圧値の電源電圧、例えば、ＤＣ９Ｖを、ソレノイドを駆動させるために使用することが知られおり、この電源電圧を使用する際の消費電力は、駆動電流が３００ｍＡであると仮定すると２．７Ｗであった。しかしながら、ソレノイドが有する電気特性のばらつきを鑑み、ある程度高い電圧値の電源電圧、例えば、ＤＣ１２Ｖを当該ソレノイドに印加せねばならず、この電源電圧を使用する際の消費電力は、駆動電流が４００ｍＡであると仮定すると４．８Ｗとなり、消費電力が増大する難点があった。
【０００６】
本発明は、これらの難点を解消するためになされたもので、電気錠の起動後の施錠状態を保持するための保持電圧の閾値を予測し、低い電圧値に調整した保持電圧を設定して消費電力を低減させ、さらには、電気錠の誤った解錠動作を最小限に防止して信頼性を高めることができるインターホンシステムを提案することを目的としている。
【課題を解決するための手段】
【０００７】
前述の目的を達成するため、本発明の第１の態様であるインターホンシステムは、玄関に設置されるインターホン子機と、玄関ドアに設置され玄関ドアの開閉を行うための電気錠と、室内に設置されインターホン子機からの呼び出しに応答して通話を成立させるとともに電気錠を施解錠させるためのインターホン親機とを備えたものである。電気錠は、通電時施錠型錠であって、通電時施錠型錠を駆動するためのソレノイドを備え、ソレノイドは、起動後の施錠状態を保持するための保持電圧が施錠時の起動電圧よりも低い電圧で動作するものである。インターホン親機は、施錠時に起動電圧を印加するとともに起動電圧の印加後に電圧値の調整が可能な保持電圧を印加するための電気錠用電源供給回路と、電気錠の施解錠状態から保持電圧の閾値を予測し、保持電圧を調整するための制御部とを備えたものである。
【０００８】
また、本発明の第２の態様であるインターホンシステムは、本発明の第１の態様において、電気錠は、ソレノイドを駆動させるための伝送路に重畳して通電時施錠型錠の施解錠状態をインターホン親機に通知する通知回路を備えたものである。インターホン親機は、保持電圧の印加中に解錠通知を受信し、起動電圧を印加して電気錠を再施錠し、保持電圧を再調整するための制御部を備えたものである。
【発明の効果】
【０００９】
本発明のインターホンシステムによれば、インターホン親機の制御部は、電気錠の起動後の施錠状態を保持するための保持電圧の閾値を予測し、低い電圧値に調整した保持電圧を当該電気錠のソレノイドに供給して通電施錠型電気錠の駆動を保持させることができる。これにより、電気錠の施錠状態を保持するために必要とされる消費電力を低減させることができる。
【００１０】
また、本発明のインターホンシステムによれば、インターホン親機の制御部は、施錠状態が保持された電気錠のソレノイドが有する電気特性のばらつきにより当該電気錠が解錠状態に移行されたとき、電気錠用電源供給回路を制御し、電気錠が再施錠となるような起動電圧を生成させることができる。これにより、電気錠の誤った解錠動作を最小限に防止して信頼性を高めることができる。
【発明を実施するための最良の形態】
【００１１】
以下、本発明のインターホンシステムを適用した最良の実施の形態例について、図面を参照して説明する。なお、図１（ａ）は、本発明の実施例によるインターホンシステムの全体構成を示すシステム説明図であり、図１（ｂ）は、具体的な構成を示すブロック図である。
【００１２】
図１（ａ）、（ｂ）に示すインターホンシステムには、玄関に設置され来訪者が室内（住戸内と同意。）に在室中の居住者を呼び出して通話を成立させるためのインターホン子機１と、玄関ドアに設置され当該玄関ドアの開閉を行うために施解錠（解錠又は施錠）される電気錠２と、室内に設置され伝送路Ｌ1を経由して接続されるインターホン子機１からの呼び出し、すなわち、来訪者からの呼び出しに居住者が応答して通話を成立させるとともに、伝送路Ｌ2を経由して接続される電気錠２の施解錠状態を制御するためのインターホン親機３とが備えられている。
【００１３】
図１（ａ）に示すインターホン子機１には、子機操作部１０と、映像撮像部１１と、子機通話部１２とが備えられている。また、図１（ｂ）に示すインターホン子機１には、前述の子機操作部１０、映像撮像部１１及び子機通話部１２と、子機電源部１３と、子機伝送部（以下、子機Ｉ／Ｆという。）１４とが備えられている。
【００１４】
ここで、インターホン子機１において、子機操作部１０は、来訪者が居住者を呼び出すための呼出操作を行うものであり、例えば、呼出ボタンが好適とされる。また、映像撮像部１１は、来訪者の映像や玄関の周囲近傍の映像を撮像するためのものであり、例えば、ＣＣＤ、ＣＭＯＳ等の各種のカメラが好適とされる。
【００１５】
また、子機通話部１２は、来訪者が居住者との間で通話を成立させるための音声（送話音声、受話音声）を入出力するものであり、例えば、マイク及びスピーカが好適とされる。
【００１６】
また、子機電源部１３は、子機電源（待受電源、動作電源）を当該子機の構成各部に供給するためのものであり、この子機電源としては、例えば、インターホン親機３（の親機電源部３３を構成する子機用電源供給回路３３ｂ）から伝送路Ｌ1を経由して供給されてくる電源が好適とされる。なお、子機電源部１３としては、例えば、太陽電池にて電力変換される直流電源を蓄電することができる二次電池であってもよい。
【００１７】
さらに、子機Ｉ／Ｆ１４は、子機操作部１０から伝送路Ｌ1への信号伝送ラインと、映像撮像部１１から伝送路Ｌ1への信号伝送ラインと、子機通話部１２及び伝送路Ｌ1の間の信号伝送ライン（通話ライン）と、伝送路Ｌ1から子機電源部１３への電源供給ラインとをそれぞれ形成するためのものである。
【００１８】
次に、電気錠２には、通電時施錠型錠２０と、ソレノイド２１と、通知回路２２とが備えられている。ここで、通電時施錠型錠２０は、ソレノイド２１への通電中は施錠状態が保持され、通電を停止すると解錠状態となり、通電中に玄関ドアが閉じられると自動で施錠状態になるものである。また、ソレノイド２１は、インターホン親機３（の親機電源部３３を構成する電気錠用電源供給回路３３ｃ）から伝送路Ｌ2を経由して供給されてくる電源（起動電圧、保持電圧）を受電して通電時施錠型錠２０を駆動させるためのものである。さらに、通知回路２２は、ソレノイド２１を駆動させるための電源（起動電圧、保持電圧）を供給する伝送路Ｌ2に重畳して、通電時施錠型錠２０の施解錠状態をインターホン親機３に通知するための信号を生成するものである。
【００１９】
次に、図１（ａ）に示すインターホン親機３には、映像出画部３０と、親機通話部３１と、親機操作部３２とが備えられている。また、図１（ｂ）に示すインターホン親機３には、前述の映像出画部３０、親機通話部３１及び親機操作部３２と、親機電源部３３と、制御部３４と、子機側親機伝送部（以下、子機側親機Ｉ／Ｆという。）３５と、電気錠側親機伝送部（以下、電気錠側親機Ｉ／Ｆという。）３６とが備えられている。なお、親機電源部３３は、商用電源について降圧、整流、平滑させた直流電源を生成するためのものであり、親機用電源供給回路３３ａ、子機用電源供給回路３３ｂ及び電気錠用電源供給回路３３ｃにて構成されている。
【００２０】
ここで、インターホン親機３において、映像出画部３０は、インターホン子機１の映像撮像部１１にて撮像された映像を出画するとともに、来訪者によるインターホン子機１からの呼び出しがある旨の呼出表示、電気錠２の施解錠状態を示す状態表示を行うことができるものであり、例えば、ＬＣＤ、ＰＤＰ、有機ＥＬディスプレイ等の各種のモニタが好適とされる。
【００２１】
また、親機通話部３１は、居住者が来訪者との間で通話を成立させるための音声（送話音声、受話音声）を入出力するとともに、来訪者によるインターホン子機１からの呼び出しがある旨の呼出発報、電気錠２の施解錠状態を示す状態発報を行うことができるものであり、例えば、マイク及びスピーカ、ハンドセットが好適とされる。
【００２２】
また、親機操作部３２は、居住者が来訪者からの呼び出しに応答するための応答操作及び成立中の通話を終了させるための終話操作を行うとともに、電気錠２を解錠又は施錠させるための操作が行われるものであり、例えば、映像出画部３０の前面に配置されたタッチパネルが好適とされる。
【００２３】
また、親機電源部３３において、親機用電源供給回路３３ａは、前述の直流電源をＤＣ−ＤＣ変換して親機電源（待受電源、動作電源）を生成し、当該親機の構成各部に供給するためのものである。子機用電源供給回路３３ｂは、前述の直流電源をＤＣ−ＤＣ変換して子機電源（待受電源、動作電源）を生成し、インターホン子機１（の子機電源部１３）に供給するためのものである。電気錠用電源供給回路３３ｃは、電気錠２の施錠時に起動電圧を生成して電気錠２のソレノイド２１に印加するとともに、当該起動電圧の印加後に電圧値の調整が可能な保持電圧を生成して電気錠２のソレノイド２１に印加するためのものである。
【００２４】
また、制御部３４は、前述のように映像出画部３０及び親機通話部３１を制御し、親機操作部３２にて行われる各種の操作を検出するとともに、電気錠２の施解錠状態から保持電圧の閾値を予測して保持電圧（の電圧値）を調整し、さらには、保持電圧の印加中に電気錠２の通知回路２２からの解錠状態の通知を受信し、起動電圧を印加して電気錠２を再施錠し、保持電圧（の電圧値）を再調整するためのものである。
【００２５】
また、子機側親機Ｉ／Ｆ３５は、伝送路Ｌ1から映像出画部３０への信号伝送ラインと、親機通話部３１及び伝送路Ｌ1の間の信号伝送ライン（通話ライン）と、親機電源部３３を構成する子機用電源供給回路３３ｂから伝送路Ｌ1への電源供給ラインと、制御部３４及び伝送路Ｌ1の間の信号伝送ラインとをそれぞれ形成するためのものである。
【００２６】
さらに、電気錠側親機Ｉ／Ｆ３６は、親機電源部３３を構成する電気錠用電源供給回路３３ｃから伝送路Ｌ2への電源供給ラインと、制御部３４及び伝送路Ｌ2の間の信号伝送ラインとをそれぞれ形成するためのものである。
【００２７】
このように構成された本発明の実施例によるインターホンシステムにおいて、以下、具体的な動作について説明する。
【００２８】
図１（ａ）、（ｂ）に示すインターホン子機１及びインターホン親機３が待受状態のとき、すなわち、後述する呼び出し、映像の撮像及び出画、通話の何れの動作についても行われていないときには、インターホン親機３の制御部３４の制御により、親機電源部３３を構成する親機用電源供給回路３３ａにて生成（ＤＣ−ＤＣ変換）された親機待受電源が当該親機の構成各部に供給されるとともに、親機電源部３３を構成する子機用電源供給回路３３ｂにて生成（ＤＣ−ＤＣ変換）された子機待受電源が、子機側親機Ｉ／Ｆ３５、伝送路Ｌ1、インターホン子機１の子機Ｉ／Ｆ１４を経由して子機電源部１３に供給される。この子機電源部１３は、受電した子機待受電源を当該子機の構成各部に供給することができる。
【００２９】
また、前述の待受状態のときや居住者が室内に在室中であり、玄関ドアが予め閉められているときには、インターホン親機３の制御部３４の制御により、親機電源部３３を構成する電気錠用電源供給回路３３ｃにて生成（ＤＣ−ＤＣ変換）された例えば、ＤＣ６Ｖの保持電圧（以下、第１の保持電圧という。）Ｖ1が、電気錠側親機Ｉ／Ｆ３６、伝送路Ｌ2を経由して電気錠２のソレノイド２１に供給され、当該ソレノイドに電流が流れ込むことで通電時施錠型錠２０を駆動させることができ、電気錠２は施錠状態のまま保持されているものとする。
【００３０】
次に、前述のような待受状態であるとき、来訪者が居住者を呼び出すためにインターホン子機１の子機操作部１０を使用して呼出操作を行うと、子機操作部１０から子機Ｉ／Ｆ１４、伝送路Ｌ1、インターホン親機３の子機側親機Ｉ／Ｆ３５を経由して制御部３４に呼出信号Ｓ1が伝送される。
【００３１】
インターホン親機３の制御部３４は、インターホン子機１の子機操作部１０からの呼出信号Ｓ1を受信すると、親機電源部３３を構成する親機用電源供給回路３３ａを制御して、前述の親機待受電源よりも高い所定の電圧値に調整した親機動作電源を生成（ＤＣ−ＤＣ変換）させ、この親機動作電源を当該親機の構成各部に供給するとともに、親機電源部３３を構成する子機用電源供給回路３３ｂを制御して、前述の子機待受電源よりも高い所定の電圧値に調整した子機動作電源を生成（ＤＣ−ＤＣ変換）させ、この子機動作電源を当該子機待受電源と同一の電源供給ラインを経由してインターホン子機１の子機電源部１３から当該子機の構成各部に供給し、さらには、映像出画部３０及び親機通話部３１を適宜に使用して、来訪者によるインターホン子機１からの呼び出しがある旨の呼出報知（呼出表示、呼出発報）を行うことができる。
【００３２】
また、インターホン子機１の子機電源部１３からの子機動作電源の供給により映像撮像部１１が駆動すると、この映像撮像部１１にて撮像された来訪者の映像や玄関の周囲近傍の映像であり信号処理された映像信号Ｓ2が、子機Ｉ／Ｆ１４、伝送路Ｌ1、インターホン親機３の子機側親機Ｉ／Ｆ３５を経由して映像出画部３０に伝送され、当該映像出画部に出画される。
【００３３】
さらに、前述の呼出報知（呼出表示、呼出発報）及び映像の出画をもとに、来訪者によるインターホン子機１からの呼び出しがあることを当該来訪者の判別と併せて確認した居住者が、インターホン親機３の親機操作部３２を使用して応答操作を行うと、この操作を検出した制御部３４の制御により、来訪者が使用する親機通話部３１と、子機側親機Ｉ／Ｆ３５、伝送路Ｌ1、インターホン子機１の子機Ｉ／Ｆ１４を経由して来訪者が使用する子機通話部１２との間の信号伝送ライン（通話ライン）が形成され、形成された信号伝送ライン（通話ライン）を経由して音声信号を送受信させることで通話が成立し、特に、居住者においては、来訪者の様子を確認しながらの通話が可能になる。
【００３４】
次に、前述の通話状態であるとき、施錠状態で保持されている電気錠２を解錠させて玄関ドアの開閉を行うために、居住者がインターホン親機３の親機操作部３２を使用して解錠操作を行うと、この操作を検出した制御部３４は、所定の時間の計時を開始するとともに、親機電源部３３を構成する電気錠用電源供給回路３３ｃによる第１の保持電圧Ｖ1の生成（ＤＣ−ＤＣ変換）を停止させることにより、電気錠２のソレノイド２１には電流が流れ込まず通電時施錠型錠２０が駆動しなくなるため、電気錠２は施錠状態から解錠状態に移行される。
【００３５】
ここで、電気錠２の通電時施錠型錠２０が駆動せずに当該電気錠が解錠状態になると、これを検出した通知回路２２にて解錠状態通知信号（以下、第１の解錠状態通知信号という。）Ｓ3aが生成される。この第１の解錠状態通知信号Ｓ3aは、伝送路Ｌ2、インターホン親機３の電気錠側親機Ｉ／Ｆ３６を経由して制御部３４に伝送される。
【００３６】
インターホン親機３の制御部３４は、電気錠２の通知回路２２からの第１の解錠状態通知信号Ｓ3aを受信すると、映像出画部３０及び親機通話部３１を適宜に使用して、電気錠２が解錠状態である旨の状態報知（状態表示、状態発報）を行うことができる。
【００３７】
なお、来訪者においては、電気錠２が解錠状態とされるインターホン親機３の制御部３４にて計時中の所定の時間内に、玄関ドアを開けて室内に入ることができる。
【００３８】
次に、前述の解錠後、インターホン親機３の制御部３４にて計時中の所定の時間がタイムアップになると、これを検出した制御部３４は、親機電源部３３を構成する電気錠用電源供給回路３３ｃを制御して、例えば、ＤＣ１２Ｖの起動電圧（以下、第１の起動電圧という。）Ｖ2を生成させ、前述の第１の保持電圧Ｖ1と同一の電源供給ラインを経由して電気錠２のソレノイド２１に供給することにより、通電時施錠型錠２０が再駆動することから、電気錠２は解錠状態から施錠状態に移行される。
【００３９】
ここで、電気錠２の通電時施錠型錠２０が再駆動して当該電気錠が施錠状態になると、この施錠状態を検出した通知回路２２にて施錠状態通知信号（以下、第１の施錠状態通知信号という。）Ｓ4aが生成される。この第１の施錠状態通知信号Ｓ4aは、伝送路Ｌ2上の第１の起動電圧Ｖ2に重畳された後、インターホン親機３の電気錠側親機Ｉ／Ｆ３６を経由して制御部３４に伝送される。
【００４０】
インターホン親機３の制御部３４は、電気錠２の通知回路２２からの第１の施錠状態通知信号Ｓ4aを受信すると、映像出画部３０及び親機通話部３１を適宜に使用して、電気錠２が施錠状態である旨の状態報知（状態表示、状態発報）を行うことができる。また、制御部３４は、親機電源部３３を構成する電気錠用電源供給回路３３ｃを制御して、前述の第１の起動電圧Ｖ2の電圧値よりも低い電圧値に調整した例えば、ＤＣ６Ｖの保持電圧（以下、第２の保持電圧という。）Ｖ3を生成（ＤＣ−ＤＣ変換）させる。この第２の保持電圧Ｖ3は、前述の第１の保持電圧Ｖ1及び第１の起動電圧Ｖ2と同一の電源供給ラインを経由して電気錠２のソレノイド２１に印加され、当該ソレノイドへの電流の流れ込みが保持されるため、通電時施錠型錠２０は駆動されたままで電気錠２の施錠状態も保持されることになる。
【００４１】
次に、前述のように施錠状態が保持された電気錠２のソレノイド２１が有する電気特性のばらつきにより、当該電気錠が解錠状態に移行されると、これを検出した通知回路２２にて解錠状態通知信号（以下、第２の解錠状態通知信号という。）Ｓ3bが生成される。この第２の解錠状態通知信号Ｓ3bは、伝送路Ｌ2上の第２の保持電圧Ｖ3に重畳された後、インターホン親機３の電気錠側親機Ｉ／Ｆ３６を経由して制御部３４に伝送される。
【００４２】
インターホン親機３の制御部３４は、電気錠２の通知回路２２からの第２の解錠状態通知信号Ｓ3bを受信すると、映像出画部３０及び親機通話部３１を適宜に使用して、電気錠２が予期せぬ事由で解錠状態となった、すなわち、誤動作で解錠状態となった旨の状態表示（状態表示、状態発報）を行うことができる。また、制御部３４は、親機電源部３３を構成する電気錠用電源供給回路３３ｃを制御して、例えば、前述の第１の起動電圧Ｖ2と同一の電圧値の起動電圧（以下、第２の起動電圧という。）Ｖ4を生成（ＤＣ−ＤＣ変換）させ、電気錠２のソレノイド２１に印加する。この第２の起動電圧Ｖ4が印加されたソレノイド２１には電流が流れ込み、通電時施錠型錠２０を再び駆動させるため、電気錠２は解錠状態から施錠状態に移行されて再施錠となる。
【００４３】
ここで、電気錠２の通電時施錠型錠２０が再び駆動して当該電気錠が再施錠により施錠状態になると、この施錠状態を検出した通知回路２２にて施錠状態通知信号（以下、第２の施錠状態通知信号という。）Ｓ4bが生成される。この第２の施錠状態通知信号Ｓ4bは、伝送路Ｌ2上の第２の起動電圧Ｖ4に重畳された後、インターホン親機３の電気錠側親機Ｉ／Ｆ３６を経由して制御部３４に伝送される。
【００４４】
インターホン親機３の制御部３４は、電気錠２の通知回路２２からの第２の施錠状態通知信号Ｓ4bを受信すると、映像出画部３０及び親機通話部３１を適宜に使用して、電気錠２が再施錠により施錠状態である旨の状態報知（状態表示、状態発報）を行うことができる。また、制御部３４は、電気錠２の施錠状態を保持するための第２の保持電圧Ｖ3の電圧値がＤＣ６Ｖでは不足であると判断して当該保持電圧の閾値を予測し、親機電源部３３を構成する電気錠用電源供給回路３３ｃを制御して、前述の第２の保持電圧Ｖ3の電圧値よりも高い電圧値に調整した例えば、ＤＣ６．５Ｖの保持電圧（以下、第３の保持電圧という。）Ｖ5を生成（ＤＣ−ＤＣ変換）させる。この第３の保持電圧Ｖ5は、前述の第１、第２の保持電圧Ｖ1、Ｖ3及び第１、第２の各起動電圧Ｖ2、Ｖ4と同一の電源供給ラインを経由して電気錠２のソレノイド２１に印加され、当該ソレノイドへの電流の流れ込みが保持されるため、通電時施錠型錠２０は駆動されたままで電気錠２の再施錠後における施錠状態も保持されることになる。
【００４５】
この後、インターホン親機３の制御部３４は、電気錠２の再施錠後における施錠状態を保持させるにあたり、親機電源部３３を構成する電気錠用電源供給回路３３ｃを制御して生成（ＤＣ−ＤＣ変換）させた第３の保持電圧Ｖ5の電圧値がＤＣ６．５Ｖでは余剰であると判断して当該保持電圧の閾値を予測し、前述の第３の保持電圧Ｖ5の電圧値よりも低い電圧値に再調整した例えば、ＤＣ６．３Ｖの保持電圧（以下、第４の保持電圧という。）Ｖ6を生成（ＤＣ−ＤＣ変換）させる。この第４の保持電圧Ｖ6は、前述の第１乃至第３の保持電圧Ｖ1、Ｖ3、Ｖ5及び第１、第２の各起動電圧Ｖ2、Ｖ5と同一の電源供給ラインを経由して電気錠２のソレノイド２１に印加され、当該ソレノイドへの電流の流れ込みが保持されるため、通電時施錠型錠２０は駆動されたままで電気錠２の再施錠後における施錠状態も低い電圧値の当該保持電圧で保持されることになる。これにより、電気錠２の施錠状態を保持するために必要とされる消費電力を低減させることができる。
【００４６】
前述までの説明から明らかなように、本発明の実施例によれば、インターホン親機３の制御部３４は、電気錠２の起動後の施錠状態を保持するための保持電圧（第３の保持電圧）Ｖ5の閾値を予測し、低い電圧値に調整した保持電圧（第４の保持電圧）Ｖ6を当該電気錠のソレノイド２１に供給して通電施錠型電気錠２０の駆動を保持させることができる。これにより、電気錠２の施錠状態を保持するために必要とされる消費電力を低減させることができる。
【００４７】
また、本発明の実施例によれば、インターホン親機３の制御部３４は、施錠状態が保持された電気錠２のソレノイド２１が有する電気特性のばらつきにより当該電気錠が解錠状態に移行されたとき、親機電源部３３を構成する電気錠用電源供給回路３３ｃを制御し、電気錠２が再施錠となるような起動電圧を生成させることができる。これにより、電気錠２の誤った解錠動作を最小限に防止して信頼性を高めることができる。
【００４８】
なお、本発明の実施例よるインターホンシステムにおいては、インターホン親機３の制御部３４に計時機能を備えた態様について説明したが、この態様に限定されるものではない。例えば、計時機能を制御部３４から独立させ、タイマ（図示せず。）として当該親機に備えることもできる。
【００４９】
また、本発明の実施例よるインターホンシステムにおいては、前述のような機能を有する制御部３４をインターホン親機３に備えた態様について適用したが、この態様に限定されるものではない。例えば、図１（ａ）にのみ破線で示すように、電気錠２及びインターホン親機３の間を接続する伝送路Ｌ2上に電気錠アダプタを設け、この電気錠アダプタに制御部３４を備える態様であってもよい。
【００５０】
さらに、本発明の実施例によるインターホンシステムにおいては、室内に設置されインターホン子機１からの呼び出しに応答して通話を成立させるとともに電気錠２を施解錠状態に制御するための機器として、１台のインターホン親機３を設けた態様について適用したが、この態様に限定されるものではない。例えば、図１（ａ）にのみ破線で示すように、１台のインターホン親機３に少なくとも１台の増設インターホン親機を接続させて設ける態様であってもよい。
【００５１】
最後に、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００５２】
【図１】図１（ａ）は、本発明の実施例によるインターホンシステムの全体構成を示すシステム説明図であり、図１（ｂ）は、具体的な構成を示すブロック図である。
【符号の説明】
【００５３】
１……インターホン子機
２……電気錠
２０……通電時施錠型錠
２１……ソレノイド
２２……通知回路
３……インターホン親機
３３ｃ……電気錠用電源供給回路
３４……制御部
Ｌ2……伝送路
【図１】
2008214872.tif 000003